(57)【特許請求の範囲】
【請求項１】
冷蔵庫本体に対して開閉自在に回動させるヒンジ部材を備え、
前記ヒンジ部材は、
冷蔵庫本体側に固定される第１ヒンジ部材と、冷蔵庫の扉側に固定される第２ヒンジ部材と、前記第１ヒンジ部材と前記第２ヒンジ部材とが相対的に回動する際の回動中心となるピボット軸と、を有し、
前記第２ヒンジ部材は、回動中心の外周側に回動を規制する規制部が形成されたストッパ部材を具備し、
前記第１ヒンジ部材は、前記規制部が当接する当接部を具備し、
前記当接部は、前記ピボット軸を軸中心とする半円形の先頭部と、当該先頭部の側面に形成されたスロープ形状のストッパ接触部と、前記ストッパ接触部の終端において形成されて、当該ストッパ接触部の当接面との間で段差を形成する段部と、を有し、
前記ストッパ部材は、
所定扉開時に前記規制部が、前記ピボット軸中心よりも後方の側面に形成された前記当接部まで回り込み、
扉の開限界に近付くと、前記規制部が前記ストッパ接触部に接触して前記スロープ形状の面上を摺動し、扉の開限界で前記段部に突き当たって停止することを特徴とする冷蔵庫。
【請求項２】
前記段部は、前記ピボット軸の軸中心よりも後方の側面に形成する
ことを特徴とする請求項１に記載の冷蔵庫。
【請求項３】
前記ヒンジ部材および前記ストッパ部材の表面は、前記扉の色調と同色系で塗装されている
ことを特徴とする請求項１に記載の冷蔵庫。
【請求項４】
扉全閉時に、前記扉を前記冷蔵庫本体に固定する扉固定部材を備える
ことを特徴とする請求項１に記載の冷蔵庫。
【発明の詳細な説明】
【技術分野】
【０００１】
本発明は、冷蔵庫に関する。
【背景技術】
【０００２】
冷蔵庫に備えられた貯蔵室の開口部を開閉する扉の開閉方式の一つに、扉を上下方向から挟み込んだピンを中心に回動させて扉の開閉を行うヒンジ式がある。ヒンジ式の扉は、扉の上部と下部にそれぞれ上ヒンジと下ヒンジが設けられている。また、下ヒンジには、扉が所定以上に開かないように規制するストッパが設けられている。ヒンジ式の扉は、比較的大きい面積を持つものであっても、小さい力で開閉可能であり、近年の冷蔵庫では、主に最上段に位置する冷蔵室に用いられている。
【０００３】
特許文献１には、冷蔵庫のキャビネットに設けられた貯蔵室の前面を開閉する扉の上部を回動自在に支持するために、キャビネットに固定された上ヒンジ部材と、扉の下部を回動自在に支持するために、キャビネットに固定された下ヒンジ部材と、を有する冷蔵庫の扉のヒンジ構造が記載されている。
【先行技術文献】
【特許文献】
【０００４】
【特許文献１】特開２０１４−４７９７８号公報
【発明の概要】
【発明が解決しようとする課題】
【０００５】
近年、インテリア空間を美しく演出するなどの観点から、また高級感を出す観点から冷蔵庫の扉に鋼板に代わってガラス素材が採用されている。また、鋼板扉またはガラス扉の外装色の色調も白系一辺倒から黒またはダーク系、さらにグラデーションやミラー調など多彩なものに変化している。しかし、冷蔵庫の外装色の色調が黒またはダーク系などの場合にあっては、白系の場合と同様に、扉の下ヒンジは銀色の防錆メッキが施されている。このため、冷蔵庫の外観上、下ヒンジの銀色が目立つことになり、冷蔵庫の外装色の色調と一体感に欠ける。特に、扉の下ヒンジは、ユーザの視野に近い場所にあり、また冷蔵質の扉は頻繁に使用するものでもあるため、この下ヒンジ部分が銀色であると非常に目立つことになる。また、この下ヒンジには、構造上の要請からこの位置にストッパが備えられており、当該ストッパもまた銀色の防錆メッキが施されていることからより一層目立つことになる。
下ヒンジやストッパに黒色の塗装を施し、下ヒンジやストッパの外装を黒くすれば、冷蔵庫の外装色の色調に合せて一体感を持たせることができると考えられる。しかしながら、下ヒンジとストッパとは、剛性の高い部材（鉄等の金属製）同士の衝突であるので、どのような塗装方法や塗料を用いたとしても、接触部の塗装が剥がれてしまうことが判明した。黒色の塗装を施したヒンジの塗装が剥がれると、その剥がれた部分が非常に目立ち、却って外観を損なうという課題がある。
【０００６】
本発明は、このような事情に鑑みてなされたものであり、美観に優れた冷蔵庫を提供することを課題とする。
【課題を解決するための手段】
【０００７】
上記課題を解決するために、本発明の冷蔵庫は、冷蔵庫本体に対して開閉自在に回動させるヒンジ部材を備え、前記ヒンジ部材は、冷蔵庫本体側に固定される第１ヒンジ部材と、冷蔵庫の扉側に固定される第２ヒンジ部材と、前記第１ヒンジ部材と前記第２ヒンジ部材とが相対的に回動する際の回動中心となるピボット軸と、を有し、前記第２ヒンジ部材は、回動中心の外周側に回動を規制する規制部が形成されたストッパ部材を具備し、前記第１ヒンジ部材は、前記規制部が当接する当接部を具備し、前記当接部は、前記ピボット軸を軸中心とする半円形の先頭部と、当該先頭部の側面に形成されたスロープ形状のストッパ接触部と、前記ストッパ接触部の終端において形成されて、当該ストッパ接触部の当接面との間で段差を形成する段部と、を有し、前記ストッパ部材は、所定扉開時に前記規制部が、前記ピボット軸中心よりも後方の側面に形成された前記当接部まで回り込み、扉の開限界に近付くと、前記規制部が前記ストッパ接触部に接触して前記スロープ形状の面上を摺動し、扉の開限界で前記段部に突き当たって停止することを特徴とする。
【発明の効果】
【０００８】
本発明によれば、美観に優れた冷蔵庫を提供する。
【図面の簡単な説明】
【０００９】
【図１】本発明の実施形態に係る冷蔵庫の正面図である。
【図２】上記実施形態に係る冷蔵庫の冷蔵室左扉の下ヒンジの構造を示す図である。
【図３】上記実施形態に係る冷蔵庫の冷蔵室左扉の扉閉時の下ヒンジの構造を示す図である。
【図４】上記実施形態に係る冷蔵庫の冷蔵室左扉の扉開時の下ヒンジの構造を示す図である。
【発明を実施するための形態】
【００１０】
以下、本発明を実施するための形態（本実施形態）を説明する。ただし、本実施形態は、以下の内容に何ら制限されず、本発明の要旨を損なわない範囲内で任意に変更して実施可能である。
【００１１】
[冷蔵庫の構成]
図１は、本実施形態の冷蔵庫の正面図である。図１に示す冷蔵庫１００は、冷蔵庫本体１の正面に、冷蔵室左扉２と、冷蔵室右扉３と、製氷室扉４と、冷凍室上段扉５と、冷凍室下段扉６と、野菜室扉７とを備えている。
冷蔵室左扉２の上部には上ヒンジ８が設けられ、下部には下ヒンジ９が設けられている。また、冷蔵室右扉３の上部には上ヒンジ１０が設けられ、下部には下ヒンジ１１が設けられている。
冷蔵室左扉２は、上ヒンジ８および下ヒンジ９により、紙面手前方向に回転可能になっている。さらに、冷蔵室右扉３は、上ヒンジ１０および下ヒンジ１１により、紙面手前方向に回転可能になっている。すなわち、冷蔵室左扉２および冷蔵室右扉３は観音開き可能に備えられ、これらと冷蔵庫本体１とにより形成される空間に、冷蔵室（図示しない）が形成されている。
【００１２】
なお、製氷室扉４、冷凍室上段扉５、冷凍室下段扉６、および野菜室扉７は紙面手前方向に引き出し可能になっている。そして、これらと冷蔵庫本体１のキャビネットとにより形成される空間に、それぞれ、冷凍室上段、冷凍室下段および野菜室（いずれも図示しない）が形成されている。キャビネットは、内箱と外箱とを組み合わせたものであり、その間に断熱部材が挟まれ、断熱箱体を構成している。
冷蔵室左扉２の下ヒンジ９と冷蔵室右扉３の下ヒンジ１１とは、左右対称で同じ構造を有している。本実施形態では、下ヒンジ９，１１のうち、下ヒンジ９の構造を例に採り詳しく説明する。
【００１３】
[下ヒンジの構造]
図２は、冷蔵室左扉２の下ヒンジ９の構造を示す分解斜視図であり、図２（ａ）は冷蔵室左扉２の左側上方から見た図、図２（ｂ）は、冷蔵室左扉２の左側下方から見た図である。
図３は、冷蔵室左扉２の扉閉時の下ヒンジ９の構造を示す図であり、図３（ａ）は冷蔵室左扉２の左側底面から見た斜視図、図３（ｂ）は、冷蔵室左扉２の底面図である。図４は、冷蔵室左扉２の扉開時の下ヒンジ９の構造を示す図であり、図４（ａ）は冷蔵室左扉２の左側底面から見た斜視図、図４（ｂ）は、冷蔵室左扉２の底面図である。
図２乃至４に示すように、下ヒンジ９（ヒンジ部材）は、冷蔵室左扉２の下部を冷蔵庫本体１に枢設する。下ヒンジ９は、冷蔵庫本体１に対して開閉自在に回動させるヒンジ部材である。下ヒンジ９は、冷蔵庫本体１側に固定される下ヒンジ部材９１（第１ヒンジ部材）と、冷蔵庫１００の冷蔵室左扉２側に固定されるストッパ部材９２（第２ヒンジ部材）と、下ヒンジ部材９１とストッパ部材９２とが相対的に回動する際の回動中心となる下ヒンジ軸９０（ピボット軸）と、を有する。
ストッパ部材９２は、回動中心の外周側に回動を規制するストッパ部９２２（規制部）を具備する。また、下ヒンジ部材９１は、ストッパ部材９２のストッパ部９２２が当接するストッパ当接部９１３（当接部）を具備する。
このように、下ヒンジ９は、冷蔵庫本体１のキャビネットに固定され、冷蔵室左扉２を回動自在に支持する下ヒンジ軸９０（ピボット軸）を板面上に有し、かつ、下ヒンジ軸９０が備えられた板面の側面にストッパ当接部９１３を有する下ヒンジ部材９１（第１ヒンジ部材）と、冷蔵室左扉２の底部に固定され、扉開時に、下ヒンジ部材９１のストッパ当接部９１３に当接するストッパ部材９２（第２ヒンジ部材）と、ストッパ部材９２にネジ９４により取り付けられ、扉全閉時に、下ヒンジ部材９１の係合フック９１４に係合して冷蔵室左扉２を冷蔵庫本体１に固定する扉固定部材９３（第２ヒンジ部材）と、を備える。
【００１４】
冷蔵室左扉２は、底面部２１に、ストッパ部材９２を嵌合させて収容するストッパ部材収容部２２と、扉固定部材９３の突起９３３（図２（ａ）参照）が挿入される孔２３（図２（ｂ）参照）と、底面部２１の左右方向に沿って取っ手である溝部２４と、冷蔵室左扉２の閉時にキャビネットに当接するパッキンを収容するパッキン収容部２５と、がそれぞれ形成されている。
ストッパ部材収容部２２は、底面部２１から冷蔵室左扉２の内方（上方）に形成された凹部であり、後記するストッパ部材９２の取付部９２１の外周面が隙間なく嵌合される。ストッパ部材収容部２２には、扉固定部材９３の軸受９３１（図２（ａ）参照）を嵌挿する開口部（図示省略）と、組み合わされたストッパ部材９２および扉固定部材９３をネジ９４により締結するネジ穴（図示省略）と、が形成されている。
【００１５】
少なくとも下ヒンジ部材９１およびストッパ部材９２は、表面がダーク系の外観の一例として黒色塗装または黒メッキ塗装され、扉固定部材９３は、塗装またはメッキと同色の樹脂材であるため、冷蔵庫１００を正面から見た場合、冷蔵庫１００全体の色調に統一感をもたせることができ、外観上優れたものとなる。
【００１６】
塗装には、例えば色調が黒のカチオン電着塗装、セラミック系２コート、ポリアミドイミド／フッ素が挙げられる。上述したように、金属製（例えば鉄）同士の衝突のため、上記各塗料を用いたとしても塗装の剥がれを防止することは困難である。また、適当な金属表面処理（ブラスト等）を施しても剥がれを抑制することは困難である。
【００１７】
<下ヒンジ部材９１>
下ヒンジ部材９１は、厚みのある金属製の板材を曲げ加工して形成され、全ての表面に黒メッキ塗装されている。下ヒンジ部材９１は、冷蔵庫本体１のキャビネットへ下ヒンジ部材９１を取付けるための取付部９１１を備える。取付部９１１の左側、中央部、右側には、横長のネジ貫通孔９１１ａ，９１１ｂ，９１１ｃがそれぞれ開口している。ネジ貫通孔９１１ａ，９１１ｂ，９１１ｃは図示しないネジが貫通する。
【００１８】
取付部９１１の左側の上端部分から板状の軸支持部９１２が前方に垂直に折り曲げられて突出している。軸支持部９１２は、曲げ剛性を高めるために、断面視で波状の凹凸部９１２ａが形成されている。軸支持部９１２の左側には、前方に行くほど狭くなり、先端部９１２ｂは半円形を構成し、この半円形の先頭部９１２ｂの中心部からは下ヒンジ軸９０が上方に突出している。
【００１９】
半円形の先頭部９１２ｂの左側の側面には、ストッパ部材９２の延出部９２２ａの先端９２２ｂが当接するストッパ当接部９１３が形成されている。ストッパ当接部９１３は、下記の特徴を有する。すなわち、ストッパ当接部９１３は、半円形の先頭部９１２ｂの側面（より好ましくは、半円形の先頭部９１２ｂの後方まで回り込んだ側面）に、スロープ形状のストッパ接触部９１３ａと、ストッパ接触部９１３ａの終端において外方に突出して、ストッパ接触部９１３ａの当接面との間で段差を形成する段部９１３ｂと、を有する。ここで、段部９１３ｂは、指等の挟み込みを未然に防止する観点から、ストッパ機能が保たれる最小限の段差に形成することが好ましい。
【００２０】
また、ストッパ部材９２の先端９２２ｂをストッパ接触部９１３ａの面上で接触しながら円滑に摺動させるため、ストッパ接触部９１３ａの面の平滑度を上げておくこと好ましい。この接触面の平滑度を上げることで、ストッパ接触部９１３ａにおける塗料またはメッキの剥がれを抑制することができる。
【００２１】
ストッパ部材９２のストッパ部９２２は、冷蔵室左扉２の開限界に近付くと、まずストッパ接触部９１３ａに接触して面上を摺動し、次いで段部９１３ｂに突き当たって停止する。ストッパ当接部９１３の構造をより詳細に説明する。ストッパ当接部９１３は、図３（ｂ）に示すように、下ヒンジ軸９０の軸中心Ｏよりも後方（奥方向）の側面に形成される。本実施形態では、ストッパ接触部９１３ａの前記当接面と冷蔵室左扉２の表面に直交する面とのなす角度は約１０°（側面約１０°）である。ここで、ストッパ当接部９１３が、少なくとも下ヒンジ軸９０の軸中心Ｏの側面に形成されるものであればどのような位置でもよい。
【００２２】
また、軸支持部９１２の中央部からは、係合フック９１４が右前方に突出している。この係合フック９１４は、後記する扉固定部材９３の係合溝９３４に係合する。係合フック９１４は、先端部がやや右側に折曲されフック形状を成している。
【００２３】
<ストッパ部材９２>
ストッパ部材９２は、厚みのある金属製の板材を曲げ加工して形成され、全ての表面に下ヒンジ部材９１と同様の塗装またはメッキがされている。ストッパ部材９２は、冷蔵室左扉２の底面部２１のストッパ部材収容部２２へストッパ部材９２を取付けるための取付部９２１を備える。取付部９２１の左側には、扉固定部材９３から突出する軸受９３１を貫通する円形貫通孔９２１ａと、扉固定部材９３と共締めするネジ９４を貫通するネジ貫通孔９２１ｂとがそれぞれ開口している。
取付部９２１の前面の端部分から板状のストッパ部９２２が下方に垂直に折り曲げられ、さらに段部を経て水平方向に突出している。ストッパ部９２２は、この水平方向に突出した端部が、左側に延出する延出部９１２ａとなっており、延出部９２２ａの先端９２２ｂは半円形を構成する。なお、この先端９２２ｂは、ストッパ当接部９１３の段部９１３ｂの段差が小さいことに対応して小円形となっている。
【００２４】
ストッパ部９２２の延出部９２２ａの先端９２２ｂは、扉開時、ストッパ当接部９１３に当接する。ストッパ部９２２が延出部９２２ａを備えることで、図３（ｂ）に示すように、ストッパ当接部９１３が、下ヒンジ軸９０の軸中心Ｏよりも後方（奥方向）の側面に形成されたヒンジ構造を構成することができる。すなわち、ストッパ部９２２が延出部９２２ａは、扉開時、下ヒンジ軸９０の軸中心Ｏよりも後方の側面に形成されたストッパ当接部９１３まで回り込むことにより、先端９２２ｂがストッパ当接部９１３に当たり、冷蔵室左扉２が必要以上に回動しないようにすることができる。
なお、本実施形態では、ストッパ部９２２（規制部）が、延出部９２２ａおよびその先端９２２ｂを備える例について説明したが、下ヒンジ軸９０（ピボット軸）の回動中心の外周側で回動を規制できる構造であればよく、突起部や先端９２２ｂであることには限定されない。
【００２５】
<扉固定部材９３>
扉固定部材９３は、下ヒンジ部材９１およびストッパ部材９２の塗装色（ここでは黒色）と同色の樹脂製であり、適度な弾性力を有する。扉固定部材９３は、ストッパ部材９２の取付部９２１の底面に組み合わされて、ストッパ部材９２と見かけ上一体化される。
扉固定部材９３の左側には、下ヒンジ部材９１から突出する下ヒンジ軸９０の軸受９３１が上方に突設されている。この軸受９３１は、ストッパ部材９２の円形貫通孔９２１ａに挿入される。
扉固定部材９３の中央部には、ストッパ部材９２のネジ貫通孔９２１ｂに対応する位置に、ストッパ部材９２と共締めするネジ９４を貫通するネジ貫通孔９３２が開口している。扉固定部材９３の中央部右側には、ストッパ部材９２と組み合わされた扉固定部材９３を冷蔵室左扉２の底面部２１に開口された孔（図示省略）に挿通する突起９３３が突出している。
扉固定部材９３の右側には、屈曲した係合溝９３４が設けられ、冷蔵室左扉２を閉めた状態で、係合フック９１４が係合溝９３４と係合し、冷蔵室左扉２が開放状態になることを防止する。
【００２６】
次に、冷蔵室左扉２の下ヒンジ９の組み立てについて説明する。
図２に示すように、冷蔵室左扉２の底面部２１のストッパ部材収容部２２に、下方からストッパ部材９２と扉固定部材９３と下ヒンジ部材９１とをこの順で重ねて取付ける。この場合、ストッパ部材９２の取付部９２１の円形貫通孔９２１ａに扉固定部材９３の軸受９３１を挿通して重ね合わせる。ストッパ部材９２の取付部９２１の円形貫通孔９２１ａに扉固定部材９３の軸受９３１が隙間なく挿通されること、およびストッパ部材９２の取付部９２１とストッパ部材９２との段部に扉固定部材９３が密着することで、ストッパ部材９２と扉固定部材９３とは一体化される。その上で、ストッパ部材９２の取付部９２１のネジ貫通孔９２１ｂと扉固定部材９３のネジ貫通孔９３２とを位置合せし、ネジ貫通孔９２１ｂ，９３２にネジ９４を貫通させてネジ止めする。
【００２７】
ここで、冷蔵室左扉２の底面部２１のストッパ部材収容部２２の凹部の外周形状は、ストッパ部材９２の取付部９２１の外周形状と略等しい。このため、ストッパ部材９２の取付部９２１は、冷蔵室左扉２の底面部２１のストッパ部材収容部２２に隙間なく収容される。さらに、ストッパ部材９２に組み合わされた扉固定部材９３の突起９３３は、冷蔵室左扉２の底面部２１に開口された孔（図示省略）に挿通される。このようにして、ストッパ部材９２および扉固定部材９３は、冷蔵室左扉２の底面部２１のストッパ部材収容部２２に確実に取り付けられる。特に、ストッパ部材９２および扉固定部材９３は、冷蔵室左扉２の回動方向の力に対しては、強固に取り付けられている。
【００２８】
一方、図２に示すように、下ヒンジ部材９１は、冷蔵庫本体１のキャビネットへネジ止めにより冷蔵庫本体１に固定される。このネジ止めは、下ヒンジ部材９１の取付部９１１のネジ貫通孔９１１ａ，９１１ｂ，９１１ｃへの３箇所のネジ止めである。なお、下ヒンジ部材９１は、下ヒンジ部材９１に備えられた下ヒンジ軸９０を扉固定部材９３の軸受９３１を挿通し、下ヒンジ部材９１とストッパ部材９２と扉固定部材９３とが一体となった状態で、冷蔵庫本体１のキャビネットへネジ止め固定してもよいし、あるいは先に下ヒンジ部材９１を冷蔵庫本体１のキャビネットへネジ止め固定してから、冷蔵室左扉２に取り付けたストッパ部材９２および扉固定部材９３の軸受９３１に、下ヒンジ部材９１の下ヒンジ軸９０を挿通する組当て方法のいずれでもよい。なお、下ヒンジ軸９０と軸受９３１との間に、潤滑性を保つためのグリスを塗付する。シリコングリス（白色）を塗付すると目立ちやすいため、オレフィン系グリス（乳白色）を用いることが好ましい。
作業者は、続いて上ヒンジ８（図１参照）を取り付けることにより、冷蔵室左扉２が回動自在に取り付けられる。
作業者は、冷蔵室左扉２と同様なヒンジ構造を有する冷蔵室右扉３も同様にして取り付ける。
【００２９】
次に、下ヒンジ９の機能について説明する。
図３に示すように、冷蔵室左扉２は、扉閉時には、下ヒンジ部材９１の係合フック９１４が扉固定部材９３の係合溝９３４と係合し、冷蔵室左扉２が開放状態になることを防止する。
このとき、ストッパ部材９２のストッパ部９２２の延出部９２２ａは、冷蔵庫本体１の正面に露出することになる。しかし、ストッパ部材９２および下ヒンジ部材９１は、冷蔵庫１００の外装色の色調に合せた黒色系の塗装またはメッキが施されているので、ストッパ部材９２や下ヒンジ部材９１が目立つことはない。
【００３０】
冷蔵室左扉２の溝部２４等を取っ手とし、所定以上の力で冷蔵室左扉２を左側手前に開くと、樹脂からなる扉固定部材９３の係合溝９３４は、外方に撓って下ヒンジ部材９１の係合フック９１４から開放される。なお、電動冷蔵室ドアを備える冷蔵庫である場合、操作部にタッチすることで所望の冷蔵室扉を自動で開くことができる。
冷蔵室左扉２は、上ヒンジ８（図１参照）および下ヒンジ９（図１参照）により、最大扉開の範囲内で所望の角度まで回転可能である。
【００３１】
図４に示すように、冷蔵室左扉２は、最大扉開の近傍まで開かれた場合、下ヒンジ部材９１のストッパ当接部９１３のストッパ接触部９１３ａにストッパ部材９２のストッパ部９２２の延出部９２２ａの先端９２２ｂが接触する。そして、冷蔵室左扉２の開動作に伴って、ストッパ部９２２の先端９２２ｂは、ストッパ接触部９１３ａ上を当接しながら摺動する。ストッパ部９２２の先端９２２ｂが、ストッパ接触部９１３ａの面上に右側から角度をもって当接し、この面上を摺動することで、ストッパ部９２２の先端９２２ｂがいきなり段部９１３ｂに突き当たるよりも衝撃を緩和することができる。また、段部９１３ｂにおける塗装の剥がれを抑制する効果もある。
【００３２】
図４に示すように、冷蔵室左扉２は、最大扉開まで開かれた場合、ストッパ部９２２の先端９２２ｂは、ストッパ当接部９１３の段部９１３ｂに突き当たり、冷蔵室左扉２のそれ以上の回動を規制する。
【００３３】
上記ストッパ部９２２の先端９２２ｂのストッパ当接部９１３の段部９１３ｂへの突き当てが繰り返されることにより、段部９１３ｂの塗装またはメッキの剥がれが発生する。本発明者らの扉開閉試験等によれば、塗装方法や塗料を変えたとしても突き当り箇所の塗装の剥がれを防止するのは困難であるという知見が得られている。
【００３４】
そこで本実施形態では、突き当り箇所（ストッパ当接部９１３の段部９１３ｂ）の塗装またはメッキの剥がれ自体を防止するのではなく、塗装またはメッキが剥がれたとしても剥がれた露出面が目立たないように、当該突き当り箇所を下ヒンジ軸９０の軸支持部９１２の先頭部９１２ｂの側面奥部に移動する。具体的には、上記突き当り箇所（ストッパ当接部９１３の段部９１３ｂ）を、下ヒンジ軸９０の軸中心Ｏよりも後方の側面に形成する。これに伴い、ストッパ部材９２のストッパ部９２２が当該側面奥部に形成された段部９１３ｂにまで届くようにストッパ部９２２に延出部９２２ａを設ける。
【００３５】
この構成により、最大扉開時には、ストッパ部９２２の先端９２２ｂは、下ヒンジ軸９０の軸中心Ｏよりも後方の側面に形成された側面奥部の段部９１３ｂまで回り込んで突き当る。側面奥部に形成された段部９１３ｂは、冷蔵庫１００の正面からは勿論のこと、その側面からも殆ど視認できない。当接が冷蔵庫本体１の側面で行われることで、塗装の剥がれが目立たない。しかも本実施形態では、当接が側面からさらに回り込んだところで行われるので、さらに目立ちにくい。したがって、ストッパ当接部９１３の段部９１３ｂの黒メッキ塗装が剥がれたとしても剥がれを見え難くすることができ、冷蔵庫１００の外観の美観を保つことができる。
【００３６】
以上説明したように、本実施形態の冷蔵庫１００は、冷蔵庫本体１側に固定される下ヒンジ部材９１と、冷蔵庫１００の冷蔵室左扉２側に固定されるストッパ部材９２と、下ヒンジ部材９１とストッパ部材９２とが相対的に回動する際の回動中心となる下ヒンジ軸９０と、扉全閉時に、冷蔵室左扉２を冷蔵庫本体１に固定する冷蔵室左扉２固定部材９３と、を備える。ストッパ部材９２は、回動中心の外周側に回動を規制するストッパ部９２２を具備する。また、下ヒンジ部材９１は、ストッパ部材９２が当接するストッパ当接部９１３を具備する。
ストッパ当接部９１３は、下ヒンジ軸９０の軸中心Ｏよりも後方の側面に形成し、最大扉開時にストッパ部９２２の先端９２２ｂが突き当る段部９１３ｂを備える。また、ストッパ部材９２は、所定扉開時にストッパ部９２２が、ストッパ当接部９１３にまで回り込んで届くように延出する延出部９２２ａを備える。ストッパ部９２２は、扉開時にはストッパ当接部９１３の面上に接触し、最大扉開時には段部９１３ｂに突き当たる。
【００３７】
これにより、ストッパ当接部９１３の段部９１３ｂのメッキまたは塗装が剥がれたとしても、冷蔵庫１００の正面や側面からは、剥がれを見え難くすることができ、冷蔵庫１００の外観の美観を保つことができる。
【００３８】
以上、本実施形態について図面を参照しながら説明したが、本実施形態は前記の内容に何ら限定されるものではない。したがって、本発明には、様々な変形例が含まれる。すなわち、前記の実施形態は本発明をわかりやすく説明するために詳細に説明したものであり、必ずしも説明したすべての構成を備えるものに限定されるものではない。
【００３９】
例えば、冷蔵庫の扉のヒンジ構造として下ヒンジ９を挙げたが、ストッパを有するヒンジであればよく、冷蔵室右扉３の下ヒンジ１１など他の扉に適用してもよい。
【００４０】
これらの他にも、ある実施形態の構成の一部を他の実施形態の構成に置換することが可能であり、また、ある実施形態の構成に他の実施形態の構成を加えることも可能である。さらには、各実施形態の構成の一部について、他の構成を追加、削除、置換等することもできる。
例えば、本実施形態では、冷凍庫を備える冷蔵庫への適用例を挙げたが、扉を備える冷蔵庫であれば同様に適用することが可能である。
【符号の説明】
【００４１】
１  冷蔵庫本体
２  冷蔵室左扉（扉）
３  冷蔵室右扉（扉）
８，１０  上ヒンジ
９，１１  下ヒンジ（ヒンジ部材）
９０  下ヒンジ軸（ピボット軸）
９１  下ヒンジ部材（第１ヒンジ部材）
９１１，９２１  取付部
９１２  軸支持部
９１２ｂ  先頭部
９１３  ストッパ当接部（当接部）
９１３ａ  ストッパ接触部
９１３ｂ  段部
９１４  係合フック
９２  ストッパ部材（第２ヒンジ部材）
９２２  ストッパ部（規制部）
９２２ａ  延出部
９２２ｂ  先端
９３  扉固定部材（第２ヒンジ部材）
９３１  軸受
９３４  係合溝
１００  冷蔵庫
【図１】
0006285817.tif 000002
【図２】
0006285817.tif 000003
【図３】
0006285817.tif 000004
【図４】
0006285817.tif 000005